(57)【要約】【課題】  一台のコンピュータを事務用コンピュータとキャッシュレジスタとの両方に使用可能とすることにある。またキャッシュレジスタとして使用するときはコマーシャルなどの表示ができるディスプレイが付く。【解決手段】  キャッシュレジスタの機能をも持つ本体又はキャッシュボックス又は両方に、表示がオペレイタから見える向き又は向きと位置と客から見える向き又は向きと位置との間を回転又は回転と移動する、近似的に自然な色調が出せて動画を表示できる回転ディスプレイ部１を直接あるいは何らかの手段を介して取り付ける。あるいは手を以って脱着、回転、装着させる手段を備える。これはキャッシュレジスタ用ディスプレイとは別のものである。またキーボード部３の中またはその先の奥まで、又はキャッシュボックスの上部又は下部に収納でき、キャッシュレジスタの時はこのようにして使用し、事務用コンピュータとして使用する時はこの収納してあるキーボードを前方外部に出し使用するような第２のキーボード部５を備える。【選択図】図１
2010140455.tif 000002
【特許請求の範囲】
【請求項１】
キャッシュレジスタ用ディスプレイとは別に、近似的に自然な色調が出せ動画を表示できるディスプレイを備えた部分があり、このディスプレイがオペレイタによって見える向き又は向きと位置と客によって見える向き又は向きと位置との間をこのディスプレイを備えた部分がキャッシュレジスタの機能をも持つ本体に対して回転又は回転と移動によって動く手段を備えることを特徴とする事務用コンピュータにもなるキャッシュレジスタ。
【請求項２】
キャッシュレジスタ用ディスプレイとは別に、近似的に自然な色調が出せ動画を表示できるディスプレイを備えた部分があり、この部分には前記ディスプレイがオペレイタによって見える向き又は向きと位置と客によって見える向き又は向きと位置との間を横方向を回転軸として回転する回転機構が一体化又は直接又は何らかの手段を介して備えられており、この回転機構はキャッシュレジスタの機能をも持つ本体に直接又は一体化して又は本体に突起物を有し備えられているか、又はこの回転機構はキャッシュボックス又は本体又はその両方から何らかの手段を介して備えられていることを特徴とする請求項１記載の事務用コンピュータにもなるキャッシュレジスタ。
【請求項３】
キャッシュレジスタ用ディスプレイとは別に、近似的に自然な色調が出せ動画を表示できるディスプレイを備えた部分があり、前記ディスプレイを備えた部分は回転可能な形状でキャッシュレジスタの機能をも持つ本体に前方から見て左右の中央付近に直に、あるいは前記部分は前から見て左右の中央付近に何らかの手段を介して本体又はキャッシュボックス又は両方に備えられており、前記直に備えた部分に、又は前記手段の途中に、又は前記手段を備えた付け根の部分に、又は回転させる部分として回転可能な形状で本体の一部を含めてもよい、又は前記ディスプレイを備えた部分の一部に食い込んでもよいという条件のもとに本体又は前記ディスプレイを備えた部分の一部に縦方向またはそれに若干の前傾き又は後ろ傾きをもつ方向を回転軸として前記ディスプレイがオペレイタによって見える向き又は向きと位置と客によって見える向き又は向きと位置との間を回転する回転部が備えられていることを特徴とする請求項１記載の事務用コンピュータにもなるキャッシュレジスタ。
【請求項４】
キャッシュレジスタ用ディスプレイとは別に、近似的に自然な色調が出せ動画を表示できるディスプレイを備えた部分があり、この部分には前記ディスプレイがオペレイタによって見える向き又は向きと位置と客によって見える向き又は向きと位置との間を回転する回転機構が一体化して又は直接あるいは何らかの手段を介し存在し、
またキャッシュレジスタの機能をも持つ本体に直接又は一体化している、あるいは本体又はキャッシュボックス又は両方からの何らかの手段により備えられている移動用ガイドがあり、またこの移動用ガイドにそって動く移動部があり、この移動部は前記回転機構に直接又は一体化して備わっている、あるいは何らかの手段を介して備わっていることを特徴とする請求項１記載の事務用コンピュータにもなるキャッシュレジスタ。
【請求項５】
キャッシュレジスタ用ディスプレイとは別に、近似的に自然な色調が出せ動画を表示できるディスプレイを備えた部分があり、この部分には前記ディスプレイがオペレイタによって見える向き又は向きと位置と客によって見える向き又は向きと位置との間を、脱着回転装着させる部分として、回転後装着可能な形状で本体の一部を含めてもよい、又は前記ディスプレイを備えた部分の一部に食い込んでもよいという条件のもとに、手を以って脱着、回転、装着する手段が前記ディスプレイを備えた部分に、又は何らかの手段を介して備えられ、この脱着装着する相手側にもそれに対応する手段があり、この脱着装着する相手側はキャッシュレジスタの機能をも持つ本体に備えられている、あるいは何らかの手段に備えられておりこの何らかの手段が本体又はキャッシュボックス又は両方に備えられていることを特徴とする請求項１記載の事務用コンピュータにもなるキャッシュレジスタ。
【請求項６】
キャッシュレジスタとして使用するときはキーボード部の内部あるいはその奥まで又はキャッシュボックスの上部または下部に内蔵し必要なとき前方外部に出せ不要になったらもとの内部に収納する手段を備える第２のキーボード部を備えることを特徴とする請求項１又は請求項２又は請求項３又は請求項４又は請求項５記載の事務用コンピュータにもなるキャッシュレジスタ。
【発明の詳細な説明】
【技術分野】
【０００１】  本発明は事務用コンピュータにもなるキャッシュレジスタに関する。
【発明の開示】
【発明が解決しようとする課題】
【０００２】  キャッシュレジスタが事務用コンピュータにもなれば、店内の一箇所で全てのコンピュータ処理ができるようになる。【０００３】  またこのコンピュータの一部を用いてコマーシャルなどの動画を表示できればさらに付加価値は高くなる。
【課題を解決するための手段】
【０００４】  キャッシュレジスタ用ディスプレイとは別に、近似的に自然な色調が出せ動画を表示できるディスプレイ２を備えた部分１があり、このディスプレイ２がオペレイタによって見える向き又は向きと位置と客によって見える向き又は向きと位置との間を、このディスプレイ２を備えた部分１がキャッシュレジスタの機能をも持つ本体１０に対して回転、又は回転と移動によって動く手段を備える。ここで数例あげて詳細に説明する。【０００５】  図をもって説明すると、キャッシュレジスタ用ディスプレイとは別に近似的に自然な色調が出せ動画を表示できるディスプレイ２を備えた部分１があり、この部分１には前記ディスプレイ２がオペレイタによって見える向き又は向きと位置と客によって見える向き又は向きと位置との間を横方向を回転軸として回転する回転機構７が一体化又は直接又は棒状や板状などの何らかの手段Ａ２３を介して備えられており、またこの回転機構７はキャッシュレジスタの機能をも持つ本体１０に直接又は一体化して又は本体に突起物を有し備えられているか、又はこの回転機構７はキャッシュボックス４又は本体１０又はその両方からの棒状又は板状のようなものなどの何らかの手段Ｂを介して備えられている。（図１、図４、図５、図６参照）【０００６】  ここでキャッシュレジスタ用ディスプレイとは別な近似的に自然な色調が出せ動画を表示できるディスプレイ２を回転ディスプレイと、又回転ディスプレイを備えた部分１を回転ディスプレイ部と名付ける。【０００７】  これはまた次の様にもできる。回転ディスプレイ２を備えた回転ディスプレイ部１があり、前記回転ディスプレイ部は回転可能な形状でキャッシュレジスタの機能を持つ本体１０に前方から見て左右の中央付近に直に、あるいは回転ディスプレイ部は前から見て左右の中央付近に何らかの手段Ｃ２４を介して本体１０又はキャッシュボックス４又は両方に備えられており、前記直に備えた部分に、又は前記手段Ｃ２４の途中に、又は前記手段Ｃ２４を備えた付け根の部分に、又は回転させる部分として回転可能な形状で本体１０の一部をも含めてもよい（図１４）、又は前記回転ディスプレイ部１の一部に食い込んでもよい（図１５）というという条件のもとに、縦方向又はそれに若干の前傾き又は後ろ傾きを持つ方向を回転軸として前記回転ディスプレイがオペレイタによって見える向き又は向きと位置と客によって見える向き又は向きと位置との間を回転する回転部１２が備えられている。（図２、図３、図７参照）【０００８】  またこれは回転と移動によっても行うことができる。それには次のような方式をとる。回転ディスプレイを備えた回転ディスプレイ部１があり、この部分１には回転ディスプレイ２がオペレイタによって見える向き又は向きと位置と客によって見える向き又は向きと位置との間を回転する回転機構７が一体化して又は直接あるいは何らかの手段Ｄ２５を介し存在する。またキャッシュレジスタの機能をも持つ本体１０に直接又は一体化しているあるいは本体１０又はキャッシュボックス４又は両方からの棒状又は板状のようなものなどの手段Ｅにより備えられている移動用ガイド２０があり、又この移動用ガイド２０にそって動く移動部１９があり、この移動部１９は��記回転機構７に直接又は一体化して備わっている、あるいは何らかの手段Ｆ２６を介して備わっている。（図８、図９）【０００９】  これはまた回転機構を備えないで、回転ディスプレイ部１を手でもって脱着させその後回転させ装着させてもよい。ここでも回転ディスプレイ部や回転ディスプレイの表現を使うものとする。このためには回転ディスプレイ部１は、回転ディスプレイ２がオペレイタによって見える向き又は向きと位置と客によって見える向き又は向きと位置との間を、脱着装着させる部分として、回転後装着可能な形状で本体１０の一部をも含めてもよい（図１１）、又は回転ディスプレイ部１の一部に食い込んでもよい（図１２）という条件のもとに、手を以って脱着、回転、装着する手段Ｇ２７が回転ディスプレイ部１に、又は何らかの手段Ｍ３０を介して備えられ、この脱着装着する相手側１８にもそれに対応する手段Ｈ２８があり、この脱着装着する相手側１８はキャッシュレジスタの機能をも持つ本体１０に備えられている、あるいは何らかの手段１２９に備えられており、この何らかの手段が本体１０又はキャッシュボックス４又は両方に備えられている（図１０、図１１、図１２、図１３）。ここで図１３のように信号線など１４を出すだけで他に何の加工もしないでその手段Ｊとなる場合がある。また脱着、回転、装着の方式をとる場合は装着したとき固定する手段Ｋがあるとよい場合がある。また脱着装着させるところは複数あってもよい。【００１０】  また本体１０のキーボード部３、又はキャッシュボックス４の上部、又はキャッシュボックス４の下部において（ここで上部、下部とはキャッシュボックスの内部でも外部でもよいものとする）キャッシュレジスタとして使用するときは前記キーボード部３の内部、又はキャッシュボックス４の上部又は下部に内蔵し、必要な時前方外部に出せ不要になったらもとの内部に収納する手段Ｌを備える第２のキーボード部５（この前方外部に出すキーボード部を第２のキーボード部と名付ける）を備える。ここで必要な時とは事務用コンピュータとして使用するときや小口現金出納のときなどがある。また前記キーボード部３に収納する場合、第２のキーボード部５が大きいときはキーボード部３より奥までにも収納する。（図１参照）【００１１】  この回転ディスプレイ２がオペレイタによって見える向きにあるときは事務用コンピュータとして本装置を働かせる。またこの時は第２のキーボード部５を前方外部に出し、キャッシュレジスタのキーの転用では間に合わないキー用（一例として、取引先キー、勘定科目キー、また特に単一仕訳帳の機能を持たせるなら簡単な日記を書くためのアルファベットまたはカナ、その他）として利用する。またこのときはキャッシュレジスタ用ディスプレイ６は別の使用法がある。【００１２】  回転ディスプレイ２が客から見える向きにあるときは、本装置はキャッシュレジスタとして働かせ、キーボード部３はキャッシュレジスタ用とし、第２のキーボード部５はキーボード部３の内部又はその奥まで、あるいはキャッシュボックス４の上部又は下部に収納する。【００１３】  またこの時は回転ディスプレイ２にはコマーシャル動画などを表示させる。このためにはデジタルビデオディスクやメ���リのような画像記憶媒体の読み出し部が必要となる。
【実施例】
【００１４】  回転ディスプレイ部１の回転および移動の動作によって、向きと位置をかえる一例を書く。まず事務用コンピュータとして使用するときは、回転ディスプレイ部１は本体１０の上方前部に位置する。そしてキャッシュレジスタとして使用するときは回転ディスプレイ部１をまず後部に移動させ、そこで回転させる。これを事務用コンピュータとするときは逆のコースをたどればよい（図８）。また別の使用例を図９に図示した。【００１５】  また第２のキーボード部５を前方外部に出す手段Ｌは手動によるもの、スプリングによるもの、モーターの回転によるものなどがある。また内部に収納するのも手動や、モーターによるものなどがある。
【図面の簡単な説明】
【００１６】
【図１】  本発明のコンピュータを事務用とし回転ディスプレイ部１を取り付けてある所が本体１０で回転軸を横方向とした例の概念図
【図２】  本発明のコンピュータを事務用とし回転ディスプレイ部１を取り付けてある所が本体１０とキャッシュボックス４で回転軸を縦方向とした例の側面図
【図３】  本発明のコンピュータをキャッシュレジスタとし回転ディスプレイ部１をキャッシュボックスから支持棒で取り付けた例の側面図
【図４】  図１の装置を事務用コンピュータとした場合の側面図
【図５】  図１の装置をキャッシュレジスタとした場合の側面図
【図６】  図１とは別の回転軸を横方向とした実施例の側面図
【図７】  本発明のコンピュータをキャッシュレジスタ用とし回転ディスプレイ部１を取り付けてある所が本体１０で回転軸を縦方向とした例の図
【図８】  回転と移動によって事務用コンピュータとキャッシュレジスタとを切り替える例の図
【図９】  図８の別の例を上方から見た図
【図１０】  脱着した例の図
【図１１】  脱着装着するところが本体の一部を含めた例の図
【図１２】  脱着装着するところが回転ディスプレイ部の一部に食い込んだ例の図
【図１３】  何も加工しないで脱着装着部２２となる例の図
【図１４】  回転ディスプレイを回転させる部分として回転可能な形状で本体の一部とした例の図
【図１５】  回転ディスプレイを回転させる部分として回転可能な形状で回転ディスプレイ部の一部とした例の図
【符号の説明】
【００１７】  １  回転ディスプレイ部
２  回転ディスプレイ
３  キーボード部
４  キャッシュボックス
５  第２のキーボード部
６  キャッシュレジスタ用ディスプレイ
７  回転機構
８  回転ディスプレイ面
９  プリンタ用紙出口
１０  本体
１１  キー
１２  回転部
１３  キャッシュドロア
１４  信号線など
１５  無加工部分
１６  移動
１７  回転
１８  脱着装着する相手側
１９  移動部
２０  移動用ガイド
２１  本体上部
２２  脱着装着部
２３  手段Ａ
２４  手段Ｃ
２５  手段Ｄ
２６  手段Ｆ
２７  手段Ｇ
２８  手段Ｈ
２９  手段Ｉ
３０  手段Ｍ
【図１】
2010140455.tif 000003
【図２】
2010140455.tif 000004
【図３】
2010140455.tif 000005
【図４】
2010140455.tif 000006
【図５】
2010140455.tif 000007
【図６】
2010140455.tif 000008
【図７】
2010140455.tif 000009
【図８】
2010140455.tif 000010
【図９】
2010140455.tif 000011
【図１０】
2010140455.tif 000012
【図１１】
2010140455.tif 000013
【図１２】
2010140455.tif 000014
【図１３】
2010140455.tif 000015
【図１４】
2010140455.tif 000016
【図１５】
2010140455.tif 000017